【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】  送信機（９０、９２、９４、１０２、１０４）と受信機（８８、１０２、１０４）の間で不規則な間隔でデータを交換する方法において、
複数の間隔値（１００）を生成し、
送信機から受信機へ、交換されるべきデータ及び少なくとも第１の間隔値を送信し、前記第１の間隔値は前記送信ステップとその後の送信ステップ間の前記間隔を示し、
前記間隔で前記送信機から前記受信機へ交換されるべきデータをその後に送信する、
各ステップを含む方法。
【請求項２】  前記生成するステップが、データ交換のための平均間隔を表すシード数を選択することを含む請求項１に記載の方法。
【請求項３】  単一の間隔値が各レポートを送信する前に生成される請求項２に記載の方法。
【請求項４】  前記その後に送信するステップが、前記送信機から前記受信機へ少なくとも第２の前記間隔値を送信することを含む請求項２に記載の方法。
【請求項５】  レポートが送信される間隔を指示するデータを送信機から受け取り、
前記間隔を含む時間期間中に前記送信機からの前記レポートを受け取るための予期ウインドウを生成し、
前記時間期間中に予期ウインドウを開く、
各ステップをさらに含む請求項１に記載の方法。
【請求項６】  前記予期ウインドウが開いている間に、前記レポートを受け取ることをさらに含む請求項１１に記載の方法。
【請求項７】  前記送信機に応答することなく予期ウインドウを閉じることをさらに含む請求項６に記載の方法。
【請求項８】  前記送信機からその後のレポートを受け取るためにその後の時間期間中に別の予期ウインドウを作成することをさらに含む請求項５に記載の方法。
【請求項９】  前記レポートが前記その後のレポートが送信されるその後の間隔を指示するデータを含み、前記その後の間隔はレポートの前記送信から前記その後のレポートの前記送信までを測定したものである請求項８に記載の方法。
【請求項１０】  前記送信機からレポートを受信するために前記受信機においてスケジュールを生成することをさらに含む請求項５に記載の方法。
【請求項１１】  前記送信機と前記受信機の間の通信リンク（１０６）の周囲使用を監視することをさらに含む請求項１０に記載の方法。
【請求項１２】  前記生成するステップが、前記通信リンクの周囲使用の関数として、前記送信機と前記受信機の間のデータ交換の平均的間隔を表すシード数を選択することを含む請求項１１に記載の方法。
【請求項１３】  もし前記予期ウインドウが開いてる間に前記報告が受け取られなければ、事象を生成することをさらに含む請求項５に記載の方法。
【請求項１４】  前記生成するステップが、前記送信機へ状態質問を送信することを含む請求項１３に記載の方法。
【請求項１５】  通信リンク（１０６）を介して前記送信機と前記受信機の間で管理データを交換する方法において、
前記通信リンク上の非管理トラフイックのレベルを監視し、
前記通信リンク上の非管理トラフイックの前記レベルの関数として、前記送信機と前記受信機の間で管理データを交換する所望の平均間隔を選択し、
前記選択された平均間隔値の関数として、複数の不規則な間隔値を生成し、
前記生成された間隔値に対応した不規則な時間間隔で、前記送信機から前記受信機へ管理データを送信する、
各ステップを含む請求項１に記載の方法。
【請求項１６】  前記通信リンクはネットワーク（８６）であることを含む請求項１５に記載の方法。
【請求項１７】  前記監視するステップが、前記ネットワークの帯域幅を測定することを含む請求項１６に記載の方法。
【請求項１８】  前記選択するステップが、前記管理トラフイックが前記非管理トラフイックに逆比例するようにシード数を選択することを含む請求項１７に記載の方法。
【請求項１９】  前記送信機がパーソナル・コンピュータであり、前記受信機が管理マシーンである請求項１５に記載の方法。
【請求項２０】  前記パーソナル・コンピュータが中央処理ユニット（ＣＰＵ）を含み、前記監視するステップが前記ＣＰＵの使用を測定することを含む請求項１９に記載の方法。
【請求項２１】  前記パーソナル・コンピュータがメモリを含み、前記監視するステップが前記メモリの使用を測定することを含む請求項１９に記載の方法。
【請求項２２】  前記受信機にデータを送信するために前記送信機において第１スケジュールを生成し、
前記送信機からデータを受信するために前記受信機において第２スケジュールを生成し、前記第２スケジュールは失敗を生ずる所定の確率によって前記第１スケジュールの関数として生成され、
失敗を検出したら、前記受信機において事象を生成する、
各ステップを含む請求項１に記載の方法。
【請求項２３】  所定回数、前記受信機において前記送信機からのデータが受信されないことが失敗を構成する請求項２２に記載の方法。
【請求項２４】  前記第２スケジュールを生成するステップが、前記送信機からのデータを受信するために少なくとも１つの予期ウインドウを設定することを含む請求項２２に記載の方法。
【請求項２５】  コンピュータ・ネットワークにおいて、
受信機ノードと、
ネットワークを介して前記受信機ノードに結合された少なくとも１つの送信機ノードと、を含み、前記少なくとも１つの送信機ノードは不規則な間隔でレポートを前記受信機ノードへ送信するように構成されていて、
前記レポートは前記第１送信機ノードが前記受信機ノードへその後のレポートを送信する前記時間間隔に関する情報を含むコンピュータ・ネットワーク。
【請求項２６】  前記受信機ノードは、前記少なくとも１つの送信機ノードから各レポートを受信するための予期ウインドウを生成するように構成されている請求項２５のコンピュータ・ネットワーク。
【請求項２７】  前記予期ウインドウは前記対応する時間間隔前の予め設定された時間に開く請求項２６に記載のコンピュータ・ネットワーク。
【請求項２８】  前記受信機ノードは、もし前記レポートの１つがその予期ウインドウが開いている間に受信されない場合、前記少なくとも１つの送信機ノードへ質問を送信するように構成されている請求項２５に記載のネットワーク。
【請求項２９】  レポートを不規則な間隔で前記受信機ノードへ送信するように構成された第２送信機ノードをさらに含み、前記レポートは前記第２送信機ノードがその後のレポートを前記受信機ノードへ送信する前記時間間隔に関する情報を含んでいる請求項２５に記載のネットワーク。
【請求項３０】  請求項１乃至２４のうちの１つに記載されたステップを実行するためのコンピュータ実行可能な命令を有するコンピュータ読取可能な媒体。
【請求項３１】  データ構造（９６）を記憶しているコンピュータ読取可能な媒体において、
送信機から受信機へ送信する主題データを含む第１データ・フイールド（９８）と、
前記送信機から前記受信機へ主題データをその後に送信するための時間間隔を表す間隔データを含む第２データ・フイールド（１００）と、
を有するコンピュータ読取可能な媒体。
【請求項３２】  前記主題データが前記送信機の現在状態である請求項３１に記載のコンピュータ読取可能な媒体。
【請求項３３】  前記第２データ・フイールドが、前記送信機から前記受信機へ主題データをその後に送信するための複数の時間間隔を表す間隔データを含む請求項３１に記載のコンピュータ読取可能な媒体。